(57)【要約】【課題】電力消費量を制限し、無線加入者ステーションに電力を供給するバッテリの寿命を延ばすための、無線加入者ステーションの走査動作の制御。【解決手段】前方向誤り訂正（ＦＥＣ）ブロック（６９）を復号化する動作をなくすことにより、セルラーデジタルパケットデータ（ＣＤＰＤ）システムにおいて動作する無線加入者ステーションのエネルギー消費を削減する。他のすべてのＴＥＩメッセージ（６２）からのハミング距離が最小である開始および終了の一時的装置識別子（ＴＥＩ）メッセージを用いることによって、ＦＥＣブロックの復号化をなくすことができる。ＦＥＣブロックを復号化する必要性があるときを判断するために、ベースエラーレート（ＢＥＲ）が測定される。【選択図】図６
2006157956.tif 000002
【特許請求の範囲】
【請求項１】
無線通信システムにおいて、ベースステーションと複数の無線加入者ステーションとの間で通信する方法であって、該ベースステーションは、該複数の加入者ステーションのそれぞれに対応する複数の一時的装置識別子（ＴＥＩ）メッセージを含むメッセージブロックのストリームを制御し、該メッセージブロックは、複数の前方向誤り訂正（ＦＥＣ）ビットを含み、該複数の前方向誤り訂正（ＦＥＣ）ビットは、該複数のＴＥＩメッセージが訂正が無いものとして受信されたことを確実にするために、該複数の無線加入者ステーションによって復号化され、
該方法は、
（ａ）連続するグループにおいて、該複数のＴＥＩメッセージを配列するステップと、
（ｂ）該ＴＥＩメッセージグループを固有のＴＥＩメッセージで始め、該ＴＥＩメッセージグループを第２の固有のＴＥＩメッセージで終了するステップであって、該固有のＴＥＩメッセージは、他のすべてのＴＥＩメッセージと少なくとも６文字分異なり、これにより、該複数のＦＥＴビットを復号化する必要性をなくす、ステップと
を包含する、方法。
【請求項２】
特定のセルに位置する前記複数の無線加入者ステーションのすべての無線加入者ステーションに対して、ＴＥＩを割り当てるステップをさらに包含し、該特定のセルにおけるすべての無線加入者ステーションに対するＴＥＩは、少なくとも６文字分異なる、請求項１に記載の方法。
【請求項３】
すべての無線加入者ステーションに対するＴＥＩは、ランダムに割り当てられる、請求項２に記載の方法。
【請求項４】
特定のセルにおけるすべての無線加入者ステーションに対するＴＥＩが少なくとも６文字分異なるかどうかを調べるステップと、
特定のセルにおけるすべての無線加入者ステーションに対するＴＥＩが少なくとも６文字分異なるように、該特定のセルにおけるすべての無線加入者ステーションのうちの少なくとも１つに対してＴＥＩを再割り当てするステップと
をさらに包含する、請求項２に記載の方法。
【請求項５】
特定のセルにおけるすべての無線加入者ステーションに対するＴＥＩが少なくとも６文字分異なるかどうかを調べるステップと、
特定のセルにおけるすべての無線加入者ステーションに対するＴＥＩが少なくとも６文字分異なるように、該特定のセルにおけるすべての無線加入者ステーションのうちの少なくとも１つに対してランダムにＴＥＩを再割り当てするステップと
をさらに包含する、請求項２に記載の方法。
【請求項６】
前記すべての無線加入者ステーションに対するＴＥＩが、ランダムに割り当てられる、請求項５に記載の方法。
【請求項７】
無線通信システムにおいて、ベースステーションと複数の無線加入者ステーションとの間で通信する方法であって、該ベースステーションは、該複数の加入者ステーションのそれぞれに対応する複数の一時的装置識別子（ＴＥＩ）メッセージを含むメッセージブロックのストリームを制御し、該メッセージブロックは、複数の前方向誤り訂正（ＦＥＣ）ビットを含み、該複数の前方向誤り訂正（ＦＥＣ）ビットは、該複数のＴＥＩメッセージが、訂正が無いものとして受信されたことを確実にするために、該複数の無線加入者ステーションによって復号化され、
該方法は、
（ａ）連続するグループにおいて、該複数のＴＥＩメッセージを配列するステップと、
（ｂ）該ＴＥＩメッセージグループを固有のＴＥＩメッセージで始め、該ＴＥＩメッセージグループを第２の固有のＴＥＩメッセージで終了するステップであって、該固有のＴＥＩメッセージは、他のすべてのＴＥＩメッセージと少なくとも６文字分異なる、ステップと
（ｃ）一時的装置識別子（ＴＥＩ）ブロックに対して、該通信ストリームをモニタするステップと、
（ｄ）ベースエラーレート（ＢＥＲ）を決定するステップと、
（ｅ）該ＢＥＲが所定のレベルを上回る場合にのみ該ＦＥＣビットを復号化するステップと
を包含する、方法。
【請求項８】
前記ステップ（ｄ）のＢＥＲは、前記通信ストリームの既知のビットと該通信ストリームの受信されたビットとを比較することにより決定される、請求項７に記載の方法。
【請求項９】
前記ステップ（ｄ）のＢＥＲは、ＴＥＩオーバーヘッドメッセージの既知のビットと該ＴＥＩオーバーヘッドメッセージの受信されたビットとを比較することにより決定される、請求項７に記載の方法。
【請求項１０】
特定のセルに位置する前記複数の無線加入者ステーションのすべての無線加入者ステーションに対してＴＥＩを割り当てるステップをさらに包含し、該特定のセルにおけるすべての無線加入者ステーションのＴＥＩは、少なくとも６文字分異なる、請求項７に記載の方法。
【請求項１１】
前記すべての無線加入者ステーションに対するＴＥＩは、ランダムに割り当てられる、請求項１０に記載の方法。
【請求項１２】
特定のセルにおけるすべての無線加入者ステーションに対するＴＥＩが少なくとも６文字分異なるかどうかを調べるステップと、
特定のセルにおけるすべての無線加入者ステーションに対するＴＥＩが少なくとも６文字分異なるように、該特定のセルにおけるすべての無線加入者ステーションのうちの少なくとも１つに対してＴＥＩを再割り当てするステップと
をさらに包含する、請求項１０に記載の方法。
【請求項１３】
特定のセルにおけるすべての無線加入者ステーションに対するＴＥＩが少なくとも６文字分異なるかどうかを調べるステップと、
特定のセルにおけるすべての無線加入者ステーションに対するＴＥＩが少なくとも６文字分異なるように、該特定のセルにおけるすべての無線加入者ステーションのうちの少なくとも１つに対してランダムにＴＥＩを再割り当てするステップと
をさらに包含する、請求項１０に記載の方法。
【請求項１４】
前記すべての無線加入者ステーションに対するＴＥＩが、ランダムに割り当てられる、請求項１３に記載の方法。
【請求項１５】
前記ステップ（ｄ）のＢＥＲは、前記通信ストリームの既知のビットと該通信ストリームの受信されたビットとを比較することにより決定される、請求項１４に記載の方法。
【請求項１６】
前記ステップ（ｄ）のＢＥＲは、ＴＥＩオーバーヘッドメッセージの既知のビットと該ＴＥＩオーバーヘッドメッセージの受信されたビットとを比較することにより決定される、請求項１５に記載の方法。
【請求項１７】
複数の加入者ステーションのそれぞれに対応する複数の一時的装置識別子（ＴＥＩ）メッセージを含むメッセージブロックのストリームを制御するベースステーションであって、
該ベースステーションは、
（ａ）連続するグループにおいて、該複数のＴＥＩメッセージを配列する送信制御機構であって、該ＴＥＩメッセージグループを固有のＴＥＩメッセージで始め、該ＴＥＩメッセージグループを第２の固有のＴＥＩメッセージで終了する送信制御機構を
備え、
該固有のＴＥＩメッセージは、他のすべてのＴＥＩメッセージと少なくとも６文字分異なり、これにより、該複数のＦＥＴビットを復号化する必要性をなくすことができる、ベースステーション。
【請求項１８】
（ａ）少なくとも１つの無線加入者ステーションと、
（ｂ）複数の加入者ステーションのそれぞれに対応する複数の一時的装置識別子（ＴＥＩ）メッセージを含むメッセージブロックのストリームを制御するベースステーションと
を備えた通信システムであって、
該少なくとも１つの無線加入者ステーションは、
（１）一時的装置識別子（ＴＥＩ）メッセージブロックに対して通信ストリームをモニタするモニタであって、該ＴＥＩは、ＴＥＩメッセージと複数の前方向誤り訂正（ＦＥＣ）ビットとを含む、モニタと、
（２）ベースエラーレート（ＢＥＲ）を決定するエラーレート検知器と、
（３）該ＢＥＲが所定のレベルを上回る場合にのみ該ＦＥＣビットを復号化する復号器と
を備え、
該ベースステーションは、
（１）連続するグループにおいて、該複数のＴＥＩメッセージを配列する送信制御機構であって、該ＴＥＩメッセージグループを固有のＴＥＩメッセージで始め、該ＴＥＩメッセージグループを第２の固有のＴＥＩメッセージで終了する送信制御機構を
備え、
該固有のＴＥＩメッセージは、他のすべてのＴＥＩメッセージと少なくとも６文字分異なり、これにより、該複数のＦＥＴビットを復号化する必要性をなくすことができる、通信システム。
【請求項１９】
ベースステーションを制御するためのプログラムが格納されたメモリ媒体であって、
該ベースステーションは、複数の加入者ステーションのそれぞれに対応する複数の一時的装置識別子（ＴＥＩ）メッセージを含むメッセージブロックのストリームを制御し、
該プログラムは、
連続するグループにおいて、該複数のＴＥＩメッセージを配列する命令と、
該ＴＥＩメッセージグループを固有のＴＥＩメッセージで始め、該ＴＥＩメッセージグループを第２の固有のＴＥＩメッセージで終了する命令と
を含み、該固有のＴＥＩメッセージは、他のすべてのＴＥＩメッセージと少なくとも６文字分異なり、これにより、該複数のＦＥＴビットを復号化する必要性をなくすことができる、メモリ媒体。
【発明の詳細な説明】
【技術分野】
【０００１】
本願は、１９９５年９月２５日出願の米国特許出願シリアルナンバー第０８／５３３，１５２号の一部継続出願である。
【０００２】
本発明は概して無線通信装置に関する。具体的には、本発明は、電力消費量を制限し、無線加入者ステーションに電力を供給するバッテリの寿命を延ばすための、無線加入者ステーションの走査動作の制御に関する。
【背景技術】
【０００３】
「アドバンスト・モバイル・フォン・サービス」（ＡＭＰＳ）と呼ばれるモバイル無線二重音声送信のための近年のアナログセルラーシステムは、８００ＭＨｚ〜９００ＭＨｚの範囲の、ＦＣＣが割り当てられた搬送周波数を用いる。自動車搭載型セルラーユニットは、１ワットまでの電力で、音声信号を所定のセル内のセルラーベースステーションに送信する。電池式携帯セルラーユニットは、４分の１ワットまでの送信電力で、音声信号を所定のセル内のセルラーベースステーションに送信する。
【０００４】
アナログの人間の音声は、当初、ＡＭＰＳシステムが通信するように設計された信号であった。ＡＭＰＳは、所定の帯域幅のチャネルでできるだけ多くのアナログ音声信号を搬送するように最適化された。低電力モバイルユニット、ＦＭ変調、およびより高い搬送周波数（８００ＭＨｚ〜９００ＭＨｚ）を用いたセルラー電話は、ベースステーションのセル構成によって達成され、この場合、ユーザが現在のセルエリアの外側に移動したときこのユーザの信号はその次のセルサイトに渡される。セル間でのこの信号の受け渡しにより、送信または受信に一時的な損失が生じ得る。ユーザは、信号損失があるときは音声情報を再送信することができると知っているので、音声信号の一時的な損失は重大なことではないのに対して、信号損失はたとえ一時的なものであっても、デジタルデータ送信独自の問題を引き起こす。音声信号送信の他の損失原因には、信号強度の低下、反射、レイリーフェージング（Rayleigh fading）、およびセルのデッドスポットがある。
【０００５】
携帯用コンピュータが利用可能になると、当然、遠隔地からデジタルデータを無線送信したいという要望が生じる。現在、デジタルデータを回路切換セルラーデータの形態でＡＭＰＳキャリアチャネルを介して送信するために、ＡＭＰＳ音声セルラーシステムが用いられている。未加工（ベースバンド）デジタルデータは、アナログＡＭＰＳシステムを介して送受信することができるように変換しなければならない。ＡＭＰＳシステムを用いてデータ送信を行う場合の１つの不利な点は、チャネル帯域幅が狭く、送信誤りがあるため、デジタルデータの送受信のボーレートが制限されることである。ここでもまた、ＡＭＰＳモバイルセルラーシステムにおける他の原因によって、未加工デジタルデータの損失が生じ得る。
【０００６】
従って、集積パッケージにおいて音声およびデータ信号の効率的な無線通信を行うことは困難であった。さらに、ＡＭＰＳ音声送信の特徴を、データ送信、電子メール、および二重ページングなどの応用に組み込むこと、および無線ファックスモデムなどの回路切換セルラーデータインタフェースを、バッテリで動作する１つの携帯用無線ユニットに設けることができるようにすることは困難であった。これらの一部分は、同一譲受人の米国特許出願シリアルナンバー第０８／１１７，９１３号（１９９３年９月８日出願）および同第０８／１５２，００５号（１９９３年１１月１２日出願）に開示されているシステムにより、ＣＤＰＤ仕様Version１．１に記載のセルラーデジタルパケットデータ（ＣＤＰＤ）システムを用いて達成されている。本明細書において、このＣＤＰＤ仕様Version１．１を、背景材料として引用することにより援用する。ＣＤＰＤ通信システムは、ＣＤＰＤ仕様Version1.1のPart405に記載のＡＭＰＳチャネルに割り当てられた搬送周波数と同じ搬送周波数を共有する（本明細書において、ＣＤＰＤ仕様を参考として援用する）。
【０００７】
ＣＤＰＤシステムの典型的なベースユニットまたはモバイルデータベースステーション（添付の図１に示すＭＤＢＳ１）は、ＡＭＰＳセル内のチャネルを利用して、ユーザの無線加入者ステーションとのリンクを確立し、通信を行う。ＭＤＢＳは、サービスプロバイダによりＭＤＢＳに利用可能となる、ＡＭＰＳの外側の他の周波数も用い得る。無線加入者ステーション（Ｍ−ＥＳ２）は、携帯用コンピュータ、ハンドセット、または、加入者通信ステーションを含む他の携帯用電子装置である。ＭＤＢＳは、無線加入者ステーションＭ−ＥＳ２のユーザと、回線、マイクロ波リンク、衛星リンク、ＡＭＰＳセルラーリンク、または他のリンク（モバイルデータ中間システムＭＤ−ＩＳ３および中間システム４、５、６など）からなるサービスプロバイダのネットワークとの間の通信リンクとしての役割を果たし、データを別の無線加入者ステーション、コンピュータネットワーク、または非モバイルもしくは固定エンドユーザシステム（Ｆ−ＥＳ７、８）に伝達する。
【０００８】
ＣＤＰＤネットワークは、ＡＭＰＳネットワークおよびインターネットネットワークなどの既存の通信ネットワークの拡張として動作するように設計される。モバイル加入者側からすると、ＣＤＰＤネットワークは、単に、従来からのネットワークの無線モバイル拡張である。ＣＤＰＤネットワークは、既存のＡＭＰＳネットワークの送信設備を共有し、ＡＭＰＳサービスに影響を及ぼさない非侵入性のパケット切換データサービスを与える。実際には、ＣＤＰＤネットワークは、ＣＤＰＤ機能を「知らない」ＡＭＰＳネットワークに対して完全に透明である。
【０００９】
ＣＤＰＤシステムは、ネットワークが、パケット中にある宛先アドレスと現在のネットワークトポロジーの知識とに基づいて各データパケットを個々にルーティングする無接続ネットワークサービス（ＣＬＮＳ）を用いる。Ｍ−ＥＳ２からのデータ送信はデータをパケット化する性質を有するため、多くのＣＤＰＤユーザが共通チャネルを共有することが可能となり、送りたいデータがあるときにだけそのチャネルにアクセスし、それ以外は他のＣＤＰＤユーザがそのチャネルを利用できるようにする。このシステムの多数アクセスの性質のため、所定のセクタ（標準のＡＭＰＳベースステーショントランシーバの送信レンジおよびエリア）にＣＤＰＤステーションを１つ設置するだけで、実質的なＣＤＰＤ適用範囲を多数のユーザに同時に与えることが可能となる。
【００１０】
ＣＤＰＤネットワークのエアリンクインタフェース部は、一組のセルからなる。セルは、Ｍ−ＥＳ２などのモバイル加入者が許容可能なレベルの信号強度で受信できる、ＭＤＢＳ１などの固定送信サイトからのＲＦ送信レンジ内の地理的境界によって規定される。セルをサポートする送信器は、セル内の中心に配置され得る。この場合、送信は全方向性アンテナを介して行われる。あるいは、送信器は、セルの縁部に配置されてもよい。この場合、送信は、指向性アンテナを介して、セクターと呼ばれるセルの一部分だけをカバーするように行われる。典型的な構成では、幾つかのセクタのための送信器が同じ場所に配置される。移動する無線加入者ステーションが、ＡＭＰＳシステムの標準の受け渡しとほぼ類似した態様で１つのセルから隣接セルに切り換えることにより連続的なサービスを維持することができるように、一組のセルによってサービスされるエリアはいくらか重なっている。一方のセルから他方のセルに切り換えることによって連続的なサービスを維持することができる場合、これらの２つのセルは隣接していると考えれられる。この切換プロセスは、セル移行と呼ばれ、通常のＡＭＰＳ受け渡し手順と独立して行われる。
【００１１】
図１において、無線加入者ステーション２とＭＤＢＳ１とのインタフェース（Ａ）は、標準のＡＭＰＳ周波数を用いる無線周波数リンクによって構成される「エアインタフェース」である。ＭＤＢＳ１は、モバイルデータ中間システム（ＭＤ−ＩＳ）３を通して、他のモバイルデータベースステーションに接続される。多くのモバイルデータベースステーションを、１つのモバイルデータ中間システムの制御下におくことができる。モバイルデータ中間システムは、図１の中間システム４および５などの中間システムによって相互接続される。
【００１２】
中間システムは、１つ以上のサブネットワーク（中間システムＭＤ−ＩＳ３など）に接続される少なくとも１つのノードによって構成される。中間システムの主な役割は、データを１つのサブネットワークから別のサブネットワークに転送することである。モバイルデータＭＤ−ＩＳ３は、モバイルデータベースステーションのレンジ内にある各無線加入者ステーションの現在位置の知識に基づいて、ＭＤ−ＩＳの制御下でデータパケットのルーティングを行う。ＭＤ−ＩＳは、すべての無線加入者ステーションの場所を「知って」いる唯一のネットワークエンティティである。しかし、ある状況下（ＣＤＰＤ仕様Version1.1に規定）では、特定のモバイルデータベースステーションは、特定の無線加入者ステーションの動作を常に追跡する。ＣＤＰＤ向けモバイル・ネットワーク・ロケーション・プロトコル（ＭＮＬＰ）は、無線加入者ステーションに関する場所情報を交換するよう、（中間システムを介して）ＭＤ−ＩＳ間で動作する。
【００１３】
ＣＤＰＤネットワーク全体は、少なくとも１つのモバイルデータ中間システム３とのインタフェースを有するネットワーク管理システム（ＮＭＳ）１０によって制御される。特別なプロトコルを用いて、プログラミング命令を、適切な条件下でＮＭＳ１０からＭＤ−ＩＳ３を介していかなる数のモバイルデータベースステーションにも送信することができる。
【００１４】
そのようなプログラミング命令を用いて、有用なネットワークデータをＭＤＢＳに伝達することができるとともに、チャネル待ち行列の維持などの重要な特徴に関するＭＤＢＳの動作を構成することができる。ＮＭＳはまた、ページングメッセージのタイミングなどのＣＤＰＤシステムの他の特徴を、Ｍ−ＥＳハンドセットの非休止期間と一致するように制御する。ＣＤＰＤの１つの利点は、ＣＤＰＤ仕様Version1.1、Part402および403のＭＤＢＳアーキテクチャについての説明にあるように、モバイルデータベースステーションへの動作命令を、ＮＭＳ１０からＭＤ−ＩＳ３を介して、またはＭＤＢＳとの直接接続によって与えることができることである。
【００１５】
図２は、図１のＣＤＰＤネットワークと標準ＡＭＰＳネットワークとの比較を示している。ＭＤＢＳ１は、ＡＭＰＳベースステーション２１と等価なものであって、ＣＤＰＤ向けのものである。これらはともに、ＣＤＰＤシステムについてはモバイルユーザ２、２’および２”へのリンクとして、ＡＭＰＳユーザについては２２、２２’、２２”へのリンクとしての役割を果たす。ＡＭＰＳ機能およびＣＤＰＤ機能はともに、同じハンドセットまたはエンドシステム装置によって扱うことができる。さらに、以下に詳細に説明するように、ＭＤＢＳ１は、好ましくは、ＡＭＰＳベースステーション２１とともに配置される。
【００１６】
ＭＤ−ＩＳ３は、ＣＤＰＤモバイルデータベースステーションのためのローカルコントローラとしての役割を果たすものであり、複数のＡＭＰＳベースステーション２１、２１’、２１”を制御するために用いられるモバイル電話交換局（ＭＴＳＯ）２３とおおむね等価である。ＡＭＰＳシステムでは、ＭＴＳＯ２３は、通信リンクによって、専用陸上通信線または公衆交換電話網（ＰＳＴＮ）を介して種々のベースステーション２１、２１’、２１”に接続され得る。同様に、ＭＤ−ＩＳ３と、それによって制御される種々のモバイルデータベースステーション１、１’、１”との接続は、同じ態様で作られる。但し、ＡＭＰＳシステムで見られる信号送信プロトコルとは異なる信号送信プロトコルが用いられる。
【００１７】
ＡＭＰＳと比較して、ＣＤＰＤでは、インフラストラクチャに対する要求が非常に少ない。ＣＤＰＤベースステーション装置は、好ましくは、既存のＡＭＰＳベースステーションセルラー装置を有するセルラーキャリアのセルサイトに配置される。このシステムの多数アクセスの性質のため、所定のセクタにＣＤＰＤラジオを１つ設置するだけで、実質的なＣＤＰＤ適用範囲を多くのユーザに同時に与えることが可能となる。この多数アクセスは、モバイルエンドシステムが、送信するべきデータがあるときにのみＣＤＰＤチャネルにアクセスすることにより達成される。
【００１８】
ＡＭＰＳベースステーションおよびＭＤＢＳは、これらがともに同じ場所に配置されていれば、同じＲＦ装置を用いることができる。それに対し、ＡＭＰＳシステムのＭＴＳＯおよびＣＤＰＤシステムのＭＤ−ＩＳは、ＲＦリンクを共有するために同じ場所に配置する必要はない。ＡＭＰＳシステムでは、ＭＴＳＯ２３は、ＡＭＰＳベースステーションおよびモバイルステーションをＰＳＴＮ２４を介して別の相手方に接続する役割を担う。ＣＤＰＤの中間システム４は、ＡＭＰＳシステムによりＰＳＴＮを使用することに相応する。ＡＭＰＳシステムと同様に、ＣＤＰＤシステムも、公衆交換電話網、または電話システム端末ネットワーク２８を介して遠隔の相手方またはシステムへのコールを達成する別の陸上通信線網を用いなければならない。但し、ＣＤＰＤシステムは、ＰＳＴＮを介するコールを達成するためにＡＭＰＳシステムが用いるプロトコルとは異なるプロトコルを用いる。
【００１９】
ＭＤＢＳは、このＭＤＢＳを制御するＭＤ−ＩＳによる指示に応じて、エアリンクインタフェースを介して多くの（ＭＤＢＳの送信能力の範囲内）チャネルストリームを維持する。ＭＤＢＳは、すべての無線加入者ステーションに、ＣＤＰＤチャネルでＡＭＰＳ通信が検出されたときなど必要なときにチャネルを変えるよう指示する。無線加入者ステーションの各端末ストリームは、一度に１つのチャネルストリームで運ばれ、通常、好ましくはＣＤＰＤの使用に最適なチャネルに関してＭＤＢＳから受信したデータに基づいて、モバイル加入者によって選択される。所定のセルでの前方向および逆方向のトラフィック（ＭＤＢＳの端末ストリーム）は、ＭＤＢＳとＭＤ−ＩＳとの間の１本の信号ＤＳ０トランクで運ばれる。ＤＳ０トランクを介するＭＤＢＳとＭＤ−ＩＳとの間の通信は、Ｔ１などの標準フォーマットに従う。
【００２０】
ＣＤＰＤネットワーク内では、デジタルデータは、ガウス最小シフトキーイング（ＧＭＳＫ）変調を用いて、ＭＤＢＳとＭ−ＥＳとの間で送信される。ベースステーションから無線加入者ステーションＭ−ＥＳへの送信は連続的である。無線加入者ステーションＭ−ＥＳからＭＤＢＳへの送信は、バーストモードを用いる。バーストモードとは、無線加入者ステーションＭ−ＥＳが、送るべきデータがあるときにのみ、他のモバイル無線加入者ステーションが用いていないチャネルにアクセスするモードである。これにより、多数のモバイル無線加入者ステーションが１つのチャネルを共有することが可能となり、比較的少ない量のデータの断続的なトランザクションを特徴とするデータ送信の場合、従来の回路切換セルラーモデムを介してデジタルデータを送る場合と比較して接続時間が大幅に少なくなる。
【００２１】
既存の音声信号送信システムの制約内で動作する必要性に基づいて選ばれた、従来のセルラーモデムで使用される信号送信機構とは異なり、ＣＤＰＤ通信のために使用されるＧＭＳＫ変調技術は、明らかに、セルラーチャネルにおいて非常に高いビット送信レートおよび優れた誤り性能を得るために選択されたものである。変調の選択が以前から存在している信号構造によって制限されなかったため、ＣＤＰＤシステムは、従来のセルラーモデムと比べて非常に低い受信信号レベルで実質的により大きい瞬間ビットレートを達成することが可能となる。これは、ＣＤＰＤ通信システムが、信号の質が、優れたセルラーモデム性能には不十分である多くのエリアで、高信頼性の高速データ送信を与えることを意味している。現在、ＣＤＰＤを介して転送されている生（ベースバンド）デジタルデータは、電子メールメッセージ、デジタルファックスデータ、または、ファイルが現在ローカルエリアネットワークに接続されているかのように転送され得るようなネットワーク接続を表す他のデジタルデータを含む。
【００２２】
モバイルデータ中間システムＭＤ−ＩＳ３は、そのサービスエリアを訪れているすべての無線加入者ステーションについてのパケットのルーティングを扱う。ＭＤ−ＩＳは２つのサービスを行う。即ち、サービスを施している特定の場所で現在登録されている各Ｍ−ＥＳの情報ベースを維持する登録サービスと、転送されたパケットを非カプセル化して、正しいセルにルーティングする再アドレス指定サービスである。サービスしているＭＤ−ＩＳは、ネットワークサポートサービスの応用のために、認証、承認、および課金のサービスの管理も行う。
【００２３】
ＣＤＰＤ通信システムは、セルラー音声チャネルのプールとは別にされ、ＣＤＰＤに用いるために取っておいた専用チャネルを用いて動作することができる。代替例では、より典型的な動作モードで、ＣＤＰＤ通信システムは、ＡＭＰＳ通信によっても用いられ得るチャネルにおいてアイドル時間を用いることができる。この第２の場合、モバイルデータベースステーションは、どのチャネルが利用可能であるかを決定し、現在ＣＤＰＤ通信に使用されているチャネルでの音声トラフィックの開始を検出するために、「ＲＦスニフィング（sniffing）」を行い得る。ＡＭＰＳセルラーユニットが、ＣＤＰＤ通信が占めているチャネルへの送信を開始すると、ＣＤＰＤユニットはそのチャネルへの送信を中止して、別の利用可能なチャネルに切り換える（「チャネルホッピング」と呼ばれるプロセス）。他のチャネルがどれも利用可能でなければ、ＣＤＰＤユニットは、チャネルがＣＤＰＤの使用のために利用可能になるまで送信を中止する。
【００２４】
ＣＤＰＤシステムは既存のＡＭＰＳ無線周波数チャネルを共有しているが、ＡＭＰＳコールは最優先され、ＣＤＰＤが使用しているチャネルの使用権を占有することができる。しかし、セルラーサービスプロバイダは、１つ以上のチャネルをＣＤＰＤの使用専用にするよう選択し得る。この場合、ＡＭＰＳコールは、ＣＤＰＤの使用専用のチャネルを占有しようとはしない。
【００２５】
通常の動作では、ＭＤＢＳは、チャネルホッピングを行って、チャネルがＡＭＰＳ通信のために使用されるのを防ぐ。これを行うために、ＭＤＢＳは、ＡＭＰＳチャネルのモニタ活動を行い、セルでＣＤＰＤの使用に利用可能な各チャネルについてのステータス（音声が占めている、または使用されていない）のリストを維持する。ＭＤＢＳは、基準（ＣＤＰＤ規格では具体的に示されていない）の組合せに基づいて、リスト中の使用されていないチャネルから、ＣＤＰＤの使用のためのチャネルを選択する。この基準は、近い将来音声システムがチャネルを必要とする可能性、チャネルに存在する干渉量、ＣＤＰＤ通信が異なるセルの他の音声ユーザ、他のセクタ、または他のファクタに対して引き起こす可能性のある干渉量などの考慮を含み得る。ＭＤＢＳは、ＣＤＰＤの使用のために利用可能なすべてのチャネル（現在音声通信が占領しているか否かにかかわらず）のリストを無線加入者ステーションに送信する。ＭＤＢＳは、別のチャネルがより適切であると判断すると、ＡＭＰＳ通信がチャネルを占有する前にチャネルホップを実行し得る。そのような場合、ＭＤＢＳは、無線加入者ステーションにメッセージを送り、これらの無線加入者ステーションに、特定の選択チャネルに変えるよう命令する。その後、ＭＤＢＳはホップを実行する。この種類のホップでは、無線加入者ステーションが、その次のチャネルを探さなくてもよいため、無計画のホップよりもはるかに整然と行われ効率的である。
【００２６】
ＡＭＰＳ通信が現在のＣＤＰＤチャネルを占有すると、ＭＤＢＳは、ＡＭＢＳ通信が用いていないチャネルから別のチャネルを選択し、無線加入者ステーションに知らせずにそのチャネルに移る（無計画のホップ）。無線加入者ステーションは、現在のチャネルにＣＤＰＤ信号がないと判断し、リストから他のチャネルを検索して、ＣＤＰＤ通信がホップしたチャネルがあればそれを決定する。
【００２７】
ＣＤＰＤシステムは、既存のＡＭＰＳシステムと容易にインタフェースし、このＡＭＰＳシステムと何らかのフロントエンド装置を共有する能力を有する。この能力を利用するためには、ＭＤＢＳは、既存のＡＭＰＳベースステーションと物理的にインタフェースする能力を有していなければならない。従って、ＭＤＢＳは、小型で、控えめで、既存のＡＭＰＳ装置に割り込まずに容易にアクセスできるものでなければならない。ＭＤＢＳは、通常ＡＭＰＳシステムと共有するＭＤＢＳの外側の装置に容易に接続できるように構成されなければならない。ＡＭＰＳベースステーションに見られるこの外部装置は、アンテナシステム、ＲＦ電力増幅器（特に、既存のＡＭＰＳと共有できる線形増幅器）、ＲＦマルチカプラ、電力スプリッタ、送受切換器、および光学装置を含む。ＭＤＢＳはＡＭＰＳベースステーションの環境を共有するため、ＭＤＢＳは、環境制御およびメンテナンスようなサポートシステムに対する実質的なさらなる負担を構成してはならない。従って、ＭＤＢＳは、コンパクトで柔軟でなければならず、そのセルサイトで必要なＭＤＢＳ機能を実行するために必要な要素だけを構成するものでなければならない。
【００２８】
図３は、携帯用通信端末ハンドセット１００のブロック図である。ほとんどの点で、この携帯用通信端末は、少なくとも１つの無線周波数トランシーバを備える無線周波数モジュール１０２を有する従来の携帯用無線電話ハンドセットと同様である。無線周波数トランシーバは、ＡＭＰＳデータ（回路切換セルラーデータ）通信、ＡＭＰＳ音声通信、およびＣＤＰＤ通信などの、携帯用端末が扱う種々のタイプの信号の送受信のためにメインアンテナ１０４を用いる。ダイバーシティアンテナ１０６は、ある悪条件下での受信を維持するためのバックアップとして用いられる。ＡＭＰＳ音声通信を促進するために、電話タイプのハンドセット１１２が用いられる。
【００２９】
携帯用端末は、無線制御プロセッサ１０８に接続されるデジタル−アナログアクセスインタフェース（ＤＡＡ）により、地域公衆交換電話網（ＰＳＴＮ）にも一時的に接続する（patch）ことができる。このプロセッサは、制御プロセッサ／モデム１０９とともに、コールのセットアップ、高レベルプロトコル、低レベルプロトコル、電力調整、モデム動作、および外部ホストコンピュータとのデータ転送などの、携帯用端末の種々の制御機能を共有する。加入者が簡単に使えるようにするために、ホストコンピュータは、パーソナルコンピュータ（ＰＣ）もしくはパーソナルデジタルアシスタント（ＰＤＡ）、または他の電子装置であることが可能である。携帯用端末の接続ハードウェアは、通常ＰＣ外部コネクタとともに用いられる標準タイプのものである。
【００３０】
図３に示す携帯用データ端末ハンドセットおよび無線加入者ステーションは、米国特許出願シリアルナンバー第０８／１１７／９１３号に記載される、図４の動作モードをすべて可能にするように構成することができる。図４に２００として示したモードは、携帯用データ端末ハンドセットのオペレータまたはプログラマによるメニューモード選択を表す。オペレータは、ハンドセットのキーパッドを用いて、２つのモードのいずれか（ＡＭＰＳまたはＣＤＰＤ）を選択できる。ホストコンピュータによってデータが携帯用端末（ハンドセット）１００に入力されていれば、選択されたモードまたは所定のデフォルト設定を、データ転送の一部として選択することができる。
【００３１】
好ましくは、システムは、通常、低電力スリープモードである。このスリープまたは休止モードにより、電力消費は最小となる。通常、スリープモードは、入ってくるページング信号などのメッセージの有無を調べるために、１０秒から２５５秒おきに中断される。メッセージ受信がなければ、ＣＤＰＤモードはアイドル状態のままである。ＣＤＰＤは、ページング信号の受信、またはＣＣＰＤモードでのデータ転送の開始を指示するホストコンピュータもしくはハンドセットユーザからのコマンドの受信が示されると、活性にされ得る。ＣＤＰＤモードを維持する利点は、バッテリの負担が軽いため、現在のバッテリ技術によると、最大送信電力でのコール時間が１時間を越え、ＡＭＰＳ制御チャネルをモニタしながらの待機時間が１２時間を越えることである。
【００３２】
ハンドセットをスリープモードにするために、スリープモード手順が用いられる。スリープモードは、データリンク確立手順（無線加入者ステーションとモバイルデータ中間システムとの間の通信）の間に無線加入者ステーションＭ−ＥＳによってリクエストされ得る最適動作モードとして定義される。スリープモードは、無線加入者ステーションにおける電力節約のための方策を助けるためのものである。スリープモードの一般的な動作により、Ｍ−ＥＳが、その受信器および関連回路をディスエーブルするまたは電力供給を減らすことが可能となる。このモードは、ＣＤＰＤ動作のキーとなる利点である。
【００３３】
スリープモード手順は、「マルチフレーム確立状態」で動作する。この動作では、パラメータＴ２０３で規定される期間が経過した後、特定の無線加入者ステーションＭ−ＥＳとＭＤＢＳとの間のデータリンク接続においてフレームが交換されていなければ、データリンク接続が、ハンドセットについて一時的装置識別子（ＴＥＩ）スリープ状態に置かれ得る。この状態にある間、ネットワーク全体は、そのＭ−ＥＳ宛ての情報の送信を試みない。スリープ状態に入った後、新しいフレームがなお存在しており、最初の送信を待っている状態になると、ネットワークは、周期的な間隔で所定のメッセージを送る。このメッセージは、チャネルデータが保留中であるＴＥＩのリストを含む。無線加入者ステーションは、周期的な間隔でスリープ状態を出る（アウェイク状態）と予想され、スリープ状態を出ると、無線加入者ステーションからのデータが保留中であるかどうかを判断し、保留中のデータを受信したい旨をネットワークに知らせる。通常、Ｍ−ＥＳは、いつでもスリープ状態から出ることができる。
【００３４】
パラメータＴ２０３は、Ｍ−ＥＳがＣＤＰＤスリープモードに入ると予想される時間よりも前にデータリンク接続でフレーム交換がない状態で許される最大時間である。ユーザ／加入者（Ｍ−ＥＳ）側では、逆方向のチャネル（Ｍ−ＥＳからＭＤＢＳ）上に何らかのタイプのデータリンクレイヤフレームが送信されると、パラメータＴ２０３の計時が開始または再開される。ネットワーク側では、ＣＤＰＤチャネル上で（何らかのタイプの）データリンクレイヤフレームが受信されると、特定のＭ−ＥＳについてパラメータＴ２０３の計時が開始または再開される。パラメータＴ２０３の値が終了すると、データリンクエンティティは、ＴＥＩスリープ状態に入り、ユーザ側からのこの状態の指示を発行する。レイヤ管理エンティティは、加入者無線受信器またはその回路のその他の本質的ではない部分をディスエーブルすることなどによって、電力節約のための処置をとり得る。
【００３５】
第２のパラメータＴ２０４は、ネットワーク側が、スリープ状態のＭ−ＥＳについての保留データのＴＥＩ通知を送る時間間隔を表す。１つのチャネルストリームについて、パラメータＴ２０４に関する１つの計時動作が維持され、すべてのユーザ側管理エンティティは、ＣＤＰＤ仕様の§6.8.8、Part403に記載のＴＥＩ通知手順により、特定のチャネルストリームＴ２０４を発見し、それに同期する。ネットワークがＴＥＩスリープ状態のＭ−ＥＳへの通知を試みる最大時間に待ち行列に入るフレームの数は、実現例によって異なる。ネットワークは、データリンク接続を解放し、ＴＥＩスリープ通知手順の中止に関わる、待ち行列にあるフレームをすべて捨てる。ＴＥＩスリープ状態のＭ−ＥＳに保留中のネットワーク送信を通知する最大試行回数は、指定されたシステムパラメータ２０４である。ネットワークは通常、そのＭ−ＥＳからの応答のない連続するＴＥＩ通知メッセージのうちの、パラメータＮ２０４として表される数に含まれているＴＥＩについてはＴＥＩスリープ通知手順を中止する。従って、Ｍ−ＥＳは、ＣＤＰＤシステムにおいて登録抹消される。
【００３６】
上述の動作の完全な説明は、ＣＤＰＤ仕様の§6.8、Part403に見られる。Ｍ−ＥＳおよびＭＤ−ＩＳのパラレル動作を、図５のフローチャートに示している。これらのユニットはともに、特定の加入者によるＭ−ＥＳでの最後のＣＤＰＤ通信がいつであったかを認識する。この点で、Ｍ−ＥＳおよびＭＤ−ＩＳは、互いに同期することができる。ステップ７０２に示すように、両ユニットは、内部クロックを用いて、Ｍ−ＥＳとＭＤ−ＩＳとの間の最も最近のＣＤＰＤ通信からの経過時間を常に追跡する。ＣＤＰＤ仕様の上記の部分に従う動作では、ある長さの時間（パラメータＴ２０３）の間エアリンクを介していずれの方向にもデータが送られなければ、ステップ７０３に示すように、Ｍ−ＥＳはスリープモードに入り、ネットワークは、Ｍ−ＥＳがスリープ状態であると仮定する。一旦Ｍ−ＥＳがスリープモードに入ると、Ｍ−ＥＳおよびＭＤ−ＩＳにおいて別の計時動作が実行される。
【００３７】
以前に述べたように、この期間の長さの合計は、パラメータＴ２０４およびＮ２０４の積によって規定される。ネットワークが、スリープ状態にあると考えているＭ−ＥＳに送るべきデータを有していれば、ネットワークは、そのＭ−ＥＳに関するＴＥＩを、特定のチャネルストリームにおけるスリープ状態のユニットであって、そのユニットを待っているデータがあるユニットのリストに加える。しかし、ネットワークは、そのデータを送らない（ステップ７０４）。パラメータＴ２０４によって測定される時間フレーム毎に、ネットワークは、特定の無線加入者ステーションＭ−ＥＳに関するＴＥＩ指示を送り、その無線加入者ステーションを待っているデータがあることを示す。従って、無線加入者ステーションは、メッセージがその無線加入者ステーションを待っているかどうかを判断するために、Ｔ２０４で規定される時間フレームの間のいずれかの時間にＣＤＰＤをチャネルをモニタしていなければならない。
【００３８】
待っているメッセージがある無線加入者ステーションのリストは、ＴＥＩ通知メッセージで、周期的に、そのチャネルストリームにあるすべてのステーションに送られる。そのような通知の時間間隔は、パラメータＴ２０４によって規定される。このパラメータは、Ｍ−ＥＳがアウェイク状態になりそのメッセージを受信する前にスリープ状態にあると予想される時間の長さである。Ｍ−ＥＳは、アウェイク状態になると、通知メッセージを受信するまで待機する。そのＭ−ＥＳのＴＥＩがリストにあれば、Ｍ−ＥＳは、データ受信可能であることをネットワークに知らせる。特定のＭ−ＥＳのＴＥＩがそのリストになければ、そのＭ−ＥＳは、通常はパラメータＴ２０４で特定されるさらなる時間の間スリープ状態に戻る。対象のＭ−ＥＳがデータ受信可能であることを示していない状態で、ＴＥＩについて、連続する数（パラメータＮ２０４で特定される）の通知がなされると、ステップ７０５に示すように、ネットワークは、そのＭ−ＥＳがＣＤＰＤシステムにないと仮定し、そのＭ−ＥＳに関して保留されていたデータを捨てる。
【００３９】
特定のＭ−ＥＳが通常のＡＭＰＳ通信をパラメータＮ２０４とパラメータＴ２０４との積に含まれる時間よりも長い時間扱い続けると、ネットワークは、そのＭ−ＥＳに関して保持されているデータを捨てる。これにより、ＣＤＰＤ通信は、ＡＭＰＳ通信の通常動作により失われる。従って、加入者ステーションＭ−ＥＳは、そのＴＥＩについてのモニタを行うのに十分長い間ＣＤＰＤチャネルに合わせたままでなければならない。これにより、必然的に、さらなる時間アウェイク状態が続くことになり、その結果、バッテリがさらに消費される。
【００４０】
ＡＭＰＳモード動作は、ＣＤＰＤモード動作よりも優先されるものとして認識されているため、ハンドセットは、好ましくは、その時間のほとんどをＡＭＰＳ通信の有無をモニタするために費やし、ＣＤＰＤモードで、無線加入者ステーションに関するメッセージの指示を拾い、登録抹消を防ぐために費やす時間はその動作に十分な時間だけである。無線加入者ステーションＭ−ＥＳを動作させる１つのモードは、ＡＭＰＳ制御チャネルをモニタするＡＭＰＳモードを維持しながら周期的にＡＭＰＳモードを出てＣＤＰＤネットワークをポーリングすることを含む。無線加入者ステーションＭ−ＥＳは、ＡＭＰＳモードから出るとき、ＣＤＰＤネットワークにポーリング信号を送り、応答を促し、ＣＤＰＤネットワークに、その無線加入者ステーションへの送信待ちのデータがあるかどうかを判断する。応答後の適切な時間（通常、Ｔ２０３）の間ＣＤＰＤネットワークからのリターンメッセージが無いかどうか注意を払った後、無線加入者ステーションは、モードを切り換えてＡＭＰＳチャネルに戻る。好ましくは、この切り換えは、無線加入者ステーションがＣＤＰＤモードにあった間に見逃した可能性のある関連するＡＭＰＳページが再送信される前に起こる。
【００４１】
上述の動作を行うと、必然的に、無線加入者ステーションは、上述のメッセージを受信するために比較的高電力状態を維持しなければならなくなる。従って、無線加入者ステーションの電力消費量はかなり多くなり、バッテリの寿命が短くなる。このことは、無線加入者ステーションの動作において重要な要素である。
【００４２】
この欠点を克服するためには、無線加入者ステーションがその一時的装置識別子（ＴＥＩ）が無いかどうか、または無線加入者ステーションの動作を制御するためにＭＤ−ＩＳもしくはＭＤＢＳから送信された他の制御メッセージが無いかどうか注意を払う時間を最小にする必要がある。
【００４３】
無線加入者ステーションがＴＥＩメッセージを受信するために高電力状態を維持しなければならない時間に寄与する１つの重要な要素は、ＴＥＩ信号が送られる時間に関する予測可能性（無線加入者ステーション側での）がないことである。その結果、無線加入者ステーションは、ＴＥＩ信号の送信を待つために、長い通信サイクルの間時間および電力を浪費せざるを得なくなる。このことは、他の必要な制御信号にも当てはまる。ＴＥＩ信号のタイミングは規則的であり、セルラーデジタルパケットデータ仕様Version1.1のPart403に記載のモバイルデータリンクプロトコル（ＭＤＬＰ）レイヤで予測可能であるが、そのような予測可能性は、セルラーデジタルパケットデータ仕様のPart402に記載の媒体アクセス制御（ＭＡＣ）レイヤには変換されない。ＭＤＢＳと無線加入者ステーションとの間のタイミングを最終的に制御するのがＭＡＣレイヤであるため、このことは重要である。
【００４４】
この不確実性に寄与する要素には、例えば以下のものがある。
【００４５】
（ｉ）処理エレメントを通しての伝播遅延、
（ii）復路ネットワークでの待ち行列遅延（書き込み遅延）、および
（iii）ベースステーションでの待ち行列遅延。
これらの要素は直接的には評価できないが、ＣＤＰＤシステムでの動作経験から、これらの遅延により約±３秒の不確実性が生じることが分かる。従って、無線加入者ステーションは、約６０ブロックまたはフレームのメッセージフロー時間の間（１ブロックは約５０ミリ秒である）、および適切なＴＥＩ通知が現れるとそれを処理するのに必要な３ブロックの時間の間、アウェイク状態でなければならない。これは、無線装置の動作の実質的な時間であり、適切なＴＥＩ通知が現れるとそれを処理するのに必要な時間が３フレームだけであることを考慮すると特に重要である。従って、従来の動作では、高電力アウェイクモードでなければならない時間は、実際に必要な時間の約２１００％（６３／３×１００）である。
【００４６】
ＣＣＰＤシステムの従来の使用における別の問題点は、ＴＥＩメッセージ以外の制御メッセージの受信のために、無線加入者ステーションによるさらなるモニタリングが必要とされることである。制御メッセージには、例えば以下のものがある。
【００４７】
（ｉ）近隣のセルで用いられるチャネルにより、セル移行を行うのに必要な情報を与えるチャネル構成メッセージ、
（ii）タイミング情報、ＭＡＣレイヤの制御のためのパラメータ、および加入者によるチャネリング使用についての他の識別パラメータ、
（iii）チャネルアクセスパラメータ
（iv）加入者を別のチャネルに切り換えるよう制御するために用いられる切り換えチャネルメッセージ、および
（ｖ）利用できる可能性がある他のサービスプロバイダを加入者に知らせる代替サービスプロバイダメッセージ。
【００４８】
通常、これらのメッセージは準規則的な間隔で分配され、ＭＤＬＰレベルで待ち行列遅延を被る。ＭＤＢＳでの内部伝播遅延もある。モバイル無線加入者ステーションが新しいセルに入ったときにネットワークへのアクセスを得るためにこれらのメッセージが必要であるため、無線加入者ステーションのこのさらなるモニタリング時間が必要である。従って、無線加入者ステーションは、上述の制御メッセージをすべて受信するまで絶えず注意を払い続けなければならない。典型的には、必要な時間は約５秒から約１０秒である。従って、これらの制御メッセージの有無をモニタするために費やす時間は、制御メッセージを受信して処理するのに必要な時間（典型的には数ブロックであり、１ブロックは約５０ミリ秒である）よりもはるかに長い。
【００４９】
モバイル無線加入者ステーションのバッテリ寿命を延ばすためには、無線加入者ステーションがＴＥＩおよび他の必要な制御メッセージを受信するためにＣＤＰＤチャネルをモニタしなければならない時間を実質的に低減する必要がある。しかし、ＣＤＰＤモードの無線加入者ステーションの動作に上述の制御メッセージがすべて必要であるという点に大きな問題点がある。
【００５０】
他の電力消費源は、前方向誤り訂正（ＦＥＣ）ブロックの復号化動作にある。デジタルシステムの場合と同様に、ＣＤＰＤ通信誤り訂正が必要である。ＣＤＰＤチャネルストリームへの基本送信ユニットは、２７８ビットという固定長の誤り制御ブロックである。送信は、ＣＤＰＤ仕様の中の、前方向チャネルフォーマット化および逆方向チャネルフォーマット化についての章で詳細に説明されているように、種々の制御フラグおよび同期語とインタリーブされた整数個のブロックを含むバーストからなる。
【００５１】
各ブロックは、図８に示す系統的なリードソロモン誤り訂正符号（ＣＤＰＤ仕様Version1.1§4.31、Part402の図４０２〜図４０４から抜粋）を用いて符号化される。この符号化は、ガロアフィールドＧＦ（６４）で生成された（６３、４７）リードソロモン符号に基づいて行われる。符号語は、６ビット記号に基づくものである。情報フィールドは４７個の６ビット記号（双方向２ビット）からなり、生成されたパリティフィールドは１６個の６ビット記号からなる。従って、２８２ビットが、３７８ビットのブロックに符号化される。この（６３、４７）リードソロモン符号化は、ＣＤＰＤ通信の前方向チャネルおよび逆方向チャネルの両方に共通である。通常のＣＤＰＤでは、ＦＥＣブロックの符号化にかなりの時間およびエネルギーが消費される。
【発明の開示】
【発明が解決しようとする課題】
【００５２】
発明の簡単な要旨
本発明の第１の利点は、制御メッセージの送信時間の予測能力を用いて、ＣＤＰＤ加入者ステーションの電力消費をさらに削減することである。
【００５３】
本発明の別の利点は、ＣＤＰＤシステムで動作している無線加入者ステーションが、ＣＤＰＤチャネルをモニタする時間が低減されることである。
【００５４】
本発明の他の利点は、制御メッセージのモニタリングの信頼性が向上することである。
【００５５】
本発明のさらに他の利点は、ＦＥＣブロックの復号化に時間およびエネルギーが消費されるのが防止されることである。
【課題を解決するための手段】
【００５６】
本発明の上記の利点およびその他の利点は、無線通信システムにおいて、無線加入者ステーションの電力消費を制限するように無線加入者ステーションを動作させる方法によって達成される。無線通信システムは、メッセージブロックの通信ストリームを複数の無線加入者ステーションに送信するための少なくとも１つのベースステーションを含む。上記方法は、ＴＥＩメッセージと複数の前方向誤り訂正（ＦＥＣ）ビットとを含む一時的装置識別子（ＴＥＩ）メッセージブロックの有無について通信ストリームをモニタするステップを包含する。この方法は、ベースエラーレート（ＢＥＲ）を決定するステップをさらに包含する。この方法は、ＢＥＲが所定のレベルを上回るときにのみＦＥＣビットを復号化するステップをさらに包含する。
【００５７】
本発明の第２の局面は、無線通信システムにおいてベースステーションと複数の無線加入者ステーションとの間の通信を行う方法を含む。ベースステーションは、複数の加入者ステーションのそれぞれに対応する複数のＴＥＩメッセージを含むメッセージブロックのストリームを制御する。上記方法は、連続するグループにおいてすべてのＴＥＩメッセージを配列するステップと、ＴＥＩメッセージのグループを固有のＴＥＩメッセージで始めるステップと、ＴＥＩメッセージのグループを第２の固有のＴＥＩメッセージで終わらせるステップとを包含する。固有のＴＥＩメッセージは、他のすべてのＴＥＩメッセージと、少なくとも６文字分異なる。
【発明を実施するための最良の形態】
【００５８】
好ましい実施形態の詳細な説明
図６は、本発明による、電力使用量の低減によるバッテリ寿命の増加を促進するメッセージブロックの配列を示す時間フロー図である。ほとんどのＣＤＰＤ制御機能の場合と同様に、図６に示すタイミング配列は、ＣＤＰＤ仕様Version1.1、Part403に示されるモバイルデータリンクプロトコル（ＭＤＬＰ）を用いてＭＤ−ＩＳで生成される。上述のように、ＭＤＬＰレベルでの操作および時間調整は、媒体アクセス制御（ＭＡＣ）レベル（ＣＤＰＤ仕様Version1.1、Part402に記載）での変動のため、許容可能な信頼性を達成するには不適切である。従って、以下に説明するアプローチを用いてこの欠点を克服する。
【００５９】
本発明は、ＣＤＰＤシステムの双方向ページングの変形およびその従来のものに適用する。双方向ページング変形は、標準のＣＤＰＤシステムと本質的に同じであるが、以下に説明するように双方向ページングを可能にするために多数の変形がある。ＣＤＰＤの双方向ページング変形は、標準ＣＤＰＤシステムの場合と同様に、ＡＭＰＳ通信とチャネルを共有することができる。しかし、双方向ページング変形は、ＡＭＰＳチャネルの共有に限定されるものではなく、ＡＭＰＳバンドレンジの外側の専用チャネルで用いることができる。
【００６０】
双方向ページング変形の動作では、加入者ステーションは、加入者ステーションが通常ＣＤＰＤ仕様のPart407で規定されるように実行される登録手順を開始し得る前に、チャネル識別メッセージを獲得しなければならない。これは、不定の時間モニタリングを行う加入者ステーションによって行われる。さらに、加入者ステーションは、通常のＣＤＰＤ動作で行われるようなセル移行の終了後、チャネル識別メッセージを獲得しなければならない。この獲得は、好ましくは、加入者ステーションがＭＤ−ＩＳ（図１の３）がＭＤＬＰを用いた古いチャネルストリームにおいて再送信を開始するのを防ぐための措置をとるのに間にあうように終了する。
【００６１】
さらに、最初の獲得の際に、チャネル識別メッセージが、現在のエポック（epoch）についてのエポックまたはセグメント長を含むため、加入者ステーションは、チャネル識別メッセージを用いて、ＲＦネットワークおよびセルに、獲得しているエポック構造の定義を与えなければならない。通常、ＴＥＩ通知メッセージの送信は、ＴＥＩ通知メッセージの計時専用のカウンタ（Ｎ２１０で示す）の終了とともに、前方向チャネル時間スロットの第１のデータ保持ブロックから開始される。セル構成、セルアクセスパラメータ、および代替識別子メッセージはすべて、各ＴＥＩ通知メッセージの送信後すぐにこの順序で送信される。必要であれば、ベースステーション（図１のＭＤＢＳ１）は、チャネルアクセスパラメータおよび代替サービス識別子メッセージの送信前に多数のセル構成メッセージを送信し得る。切り換えチャネルメッセージが必要である場合、ＴＥＩ通知メッセージの直後であってセル構成メッセージの前に送信される。ＴＥＩおよびその他の制御メッセージをこのように配列することにより、以下に説明するように本発明の一局面が促進される。
【００６２】
図６のタイミング配列により、ＭＡＣレイヤの待ち行列およびタイミングが変動しても、タイミングの高信頼性が可能となる。これは、ＭＡＣレイヤおよび無線加入者ステーションが、メッセージフロー全体の中でのＴＥＩおよびその他の制御メッセージの位置を予想することができるようにすることによって達成される。そのような予測可能性が得られるようにするためには、通信メッセージフローを図６に示すような多数のセグメント６０に分割する必要がある。各エポックは、エポックの開始を識別する基準ブロック６１を有する。従って、メッセージフローは、６０などの一連のエポックに分割され、各エポックが基準ブロック６１、６１’、６１”、．．．で始まる。好ましくは、各エポックは、一定のブロック数で確立される。以下に説明するように、エポックの持続期間は、整数個のリードソロモンブロック（ＣＤＰＤ仕様に規定されるリードソロモンブロック）でなければならない。この数は、トラフィックレベルおよびシステムに対するその他の要求に基づいて、ＣＤＰＤシステムプロバイダによって調整することができる。
【００６３】
通常、ＭＡＣレイヤは、ＭＤＬＰエンティティのメッセージを読み出さない。従って、本発明によれば、ＭＡＣレイヤが、Ｎ個のメッセージブロックのすべてのエポック６０についての基準フレーム６１を定義するものとして認識する標準が確立される。各基準フレームの位置は、全地球位置把握システム（ＧＰＳ）などの外部時間標準と一致するように選択されるが、その他のタイミング標準を用いることもできる。無線加入者ステーションが、このタイミング標準に合わせてアウェイクモードに入り、ＴＥＩメッセージおよびその他の必要な制御メッセージを受信した後、その無線加入者ステーションに向けられたＴＥＩメッセージが見つからなければ直ぐにスリープモードに戻ることが重要である。
【００６４】
無線加入者ステーションが標準に合わせるタイミング情報は、チャネル識別メッセージフレーム６６を介して無線加入者ステーションに伝達される。チャネル識別メッセージは、進行している基準ブロックが発生した時刻を含む。このフレームは、ＣＤＰＤ仕様Version1.1のPart402に記載されているように、タイミング情報、ＭＡＣレイヤの制御パラメータ、および使用中チャネルについての他の識別パラメータを与える。
【００６５】
ＴＥＩメッセージおよびその他の制御メッセージが通信フローのどこで生じるかを正確に予測するためには、対象のメッセージが基準ブロック１に対してどこで生じるかを正確に知らなければならない。ＭＡＣレイヤおよび無線加入者ステーションは、「開始」時（無線加入者ステーションが最初にＣＤＰＤシステムに登録したとき）に構成された一組のパラメータに基づいて、ＴＥＩメッセージ６２およびその他の必要な制御メッセージ６３の配置を知る。
【００６６】
本発明が、必要な予測可能性を維持するためには、ローカルタイミング標準または基準が、外部絶対時間基準に対して±２０ミリ秒の精度を維持しなければならない。ＭＤＢＳが、ローカル時間基準が外部絶対時間基準の±２０ミリ秒の範囲内であることを保証できなければ、モバイルデータベースステーションは通常、送信を中止する。
【００６７】
モバイルデータベースステーションは、外部絶対時間基準として２つのソース、即ち、ＧＰＳ受信器、またはＧＰＳ基準に基づくＮＴＰ時間サーバを用いることができる。ＴＥＩメッセージ送信の始まりを予測するためには、エポック（例えば、図６のエポック６０）の持続時間およびエポックの開始時間の両方を確かめる必要がある。Ｎ２１２として示されるパラメータは、エポックの持続時間を規定するために用いられる。好ましくは、Ｎ２１２の値は、予め規定され、ＮＭＳにより割り当てられる。基準ブロック（例えば、基準ブロック６１）の開始時間でもあるエポックの開始時間は、ベースステーションにより、何らかの絶対開始基準（例えば、Ｏｈ１９９５）以降に起こったエポック数を計算することによって決定される。エポックの開始時間および持続時間はともに、加入者ステーションが現在受信しているエポックの終わりに配置されるチャネル識別メッセージを介して加入者ステーションに伝達される。
【００６８】
好ましくは、モバイルデータベースステーションおよび加入者ステーションは、Ｎ２１２カウンタを用いて、前方向チャネル送信ウインドウとの同期を維持し得る。Ｎ２１２カウンタは、リードソロモンブロック持続時間の８倍の単位で前方向送信ウインドウの持続時間に設定される。前方向チャネル送信フレームの持続時間は、ＮＭＳ（図１の１０）によって規定され、モバイルデータベースステーションに通信される。このパラメータは、上述のように、チャネル識別メッセージを介して加入者ステーションにも通信される。モバイルデータベースステーション送信ウインドウが、ローカルモバイルデータベースステーションクロックと厳密な時間整列を維持することが必要である。そうでなければ、ＴＥＩメッセージ送信の予測可能性を維持することは不可能であろう。
【００６９】
図７は、ＣＤＰＤシステムおよび加入者ステーションの動作を示している。ＴＥＩおよび他の制御メッセージの位置は、ステップ７１１でモバイルデータベースステーション（図１のＭＤＢＳ１）がオンラインに置かれたときにこのＭＤＢＳにプログラムされる。ステップ７１２で、ＣＤＰＤシステム（図１のＭＤ−ＩＳ）は、ＴＥＩ通知メッセージを送るべき正確な間隔を送る。この第２のタイミングデータは、ＭＤ−ＩＳからＭＤＢＳに送られたＴＥＩメッセージに組み込まれる。ステップ７１３で、ＭＤＢＳはＴＥＩメッセージを読み出し、第２のタイミングデータを得る。ステップ７１４に示すように、第１のタイミングデータに関する情報（エポックまたはセグメント長および制御メッセージ配置データを含む）は、チャネル識別メッセージ６６に組み込まれる。（尚、第２のタイミングデータは、ＴＥＩオーバーヘッドメッセージで加入者ステーションに送信される。）このデータは、図６のメッセージブロックシーケンスで表されるタイミングに基づいて加入者ステーション（図１のＭ−ＥＳ２）に送られる。
【００７０】
加入者が、新しいセル内で動作するのに必要なすべての制御メッセージおよびＴＥＩタイミングデータを得るためには、加入者ステーションは、すべての制御メッセージを受信するまでアウェイクモードでＣＤＰＤチャネルをモニタする（ステップ７２０）。このステップで、加入者ステーションはまた、外部時間標準に合わせる。典型的には、これには、約５秒から約１０秒の時間がかかる。加入者ステーションは、基準ブロックおよびＴＥＩメッセージをタイミング標準に関連付けるタイミング標準を受信すると、ＴＥＩメッセージの予測送信時間よりも約１ブロックまたはフレーム分前までスリープモードに入ることができる。このタイミングデータの獲得には連続的なモニタリングが必要であるが、加入者がどのセルに移動しても、このモニタリングが必要なのは一度だけである。ＴＥＩメッセージの次にあるその他の制御メッセージをすべてグループ分けすることによって節約される時間は、約５秒である。これは、加入者ステーションがアウェイクモードでなくてもよい時間であり、加入者ステーションの寿命時間全体を考えると、バッテリ寿命がかなり節約されることになる。
【００７１】
加入者ステーション（図１のＭ−ＥＳ２）は、第１および第２のタイミングデータならびにＧＰＳなどの外部タイミング標準からの入力に基づいて、その次の基準ブロックの到着を計時しなければならない（ステップ７２１）。従って、ステップ７２２に示すように、加入者ステーションは、スリープモードであっても、基準ブロック６１の発生に同期してアウェイクモードに入らなければならない。ステップ７２３で、加入者ステーションは、検出動作を行い、その加入者ステーションに固有のＴＥＩが送られているかどうかを判断する。固有のＴＥＩが送られていれば、ステップ７２４で、加入者ステーションは通信動作を開始する。しかし、その加入者ステーションに固有のＴＥＩが検出されなければ、プロセスのその次のステップ（７２５）が実行される。このステップは、加入者ステーションの動作に別の制御メッセージが必要であるかどうかの決定を含む。通常、そのような獲得は一度行うだけでよく、加入者ステーションが最初にＭＤＢＳに登録したときに行われる。しかし、ある状況下では、加入者ステーションがある制御メッセージをもう一度獲得しなければならない場合もある。そのような必要性がある場合、加入者ステーションは、ステップ７２６に示すように動作してアウェイク状態を維持し、制御メッセージ６３をモニタする。一方、別の制御メッセージをもう一度獲得する必要がなければ、加入者ステーションは、ステップ７２７に示すように、ＴＥＩメッセージ６２の受信後すぐにスリープモードに入ることができる。ステップ７２１に示されるタイミングプロセスにより、セグメント６０と同じ長さのその後のセグメントまたはエポックについてその次の基準ブロックの発生を予測し続ける。
【００７２】
無線加入者ステーションが、基準ブロック６１の正確な送信時間を知るために外部タイミング装置との調整を確立すると、無線加入者ステーションは、アウェイクモードを維持して、そのような必要な制御メッセージの送信時間の間だけＴＥＩメッセージの有無をモニタする。その後、無線加入者ステーションは、加入者ステーションに向けられたＴＥＩメッセージ６２を受信しなければ、すぐにスリープモードに戻る。これは、無線加入者ステーションが既にＴＥＩメッセージ間の正確なブロック数とそれらのメッセージの最大持続時間とを「知って」いることにより可能となる。
【００７３】
制御メッセージブロックのこのレベルの予測可能性の別の利点は、無線加入者ステーションが、アウェイクモードで不必要に時間を費やさずに、他の制御メッセージ６３（チャネル構成、チャネルアクセスパラメータ、セル構成、切り換えチャネル、代替サービスプロバイダなど）を受信できることである。これは、すべての制御メッセージを予測可能に配列することにより達成される。図６に示されるように、他の制御メッセージ６３をＴＥＩメッセージの直後に置くことができる。しかし、ＴＥＩメッセージの他の配列も可能である。
【００７４】
チャネル識別メッセージ６６は、異なる位置に配置されなければならない。しかし、本発明の正確なフレーム配列のため、この位置は、ＭＡＣレイヤおよび無線加入者ステーションによって容易に予測可能である。従って、無線加入者ステーションは、アウェイクモードでチャネル識別ブロック６６の発生を待つ時間を浪費しなくてもよくなる。（外部時間標準に対する）タイミング情報がチャネル識別メッセージに組み込まれるため、チャネル識別ブロック６６の位置は特に重要である。
【００７５】
本発明によって得られる予測可能性を維持するために、通常メッセージフロー６４は、セグメントまたはエポック長６０を均一に維持するように制御される。現在のメッセージフローブロック６４とその次の基準ブロック６１’との間の時間を測定するために、定常測定プロセス（ステップ７１５）が実行される。この値は、ステップ７１７で、送信するべきメッセージの長さ（ステップ７１６で測定）と比較される。送信するべきメッセージが既存のセグメントの残り時間より長ければ、ステップ７１８でメッセージは保留され、次に来るチャネル識別フレーム６６が示されるまでダミーデータ６５が挿入される。メッセージは、ＴＥＩメッセージ６２’およびその他の制御メッセージ６３’の送信後、通常のメッセージフロー６４’でもう一度再開される。一方、通常メッセージフロー６４の残りの部分が、その次の基準ブロック６１’の発生までに存在する空間に適合すれば、ステップ７１９で示されるように通常メッセージフローが実行される。このタイミング動作は、ＭＤＢＳ３が扱う通常メッセージフローの各部分について行われる。従って、６０などのセグメントまたはエポックの残りの空間には長すぎるとして識別されるすべての通常通信メッセージは保留され、その次のセグメントで再送信される。
【００７６】
本発明の変形は、特定のＭＤＢＳによってサービスされる各加入者ステーションに割り当てられる固有のブロックまたはフレーム対応のものである。これは、各加入者ステーションがスリープモードに入る前にその加入者ステーションにメッセージを送るＭＤ−ＩＳによって達成される。メッセージは、その加入者に関するＴＥＩメッセージの正確な位置を含む。大部分の加入者ステーションまたはページャは、任意の所与の時間にページングされていないため、特定の加入者に関する通知メッセージには、他のＴＥＩメッセージ間の空間を満たすために多くの「ダミー」値が含まれる。
【００７７】
他の技術を用いて、加入者ステーションのバッテリ消費を制限することも可能である。図６は、ＴＥＩブロック６２の内訳も示している。図６でブロック１および２として示された構成は、ＣＤＰＤ仕様に従った周知の配列である。ブロック１および２でそれぞれ６９および６９’として示される前方向誤り訂正（ＦＥＣ）ビットに特に注目されたい。３７８ビットからなる各ブロックでは、ＦＥＣに関する冗長セグメントがブロックの実質的な部分を占めている。ＦＥＣビットの読み出しおよび復号化に費やされる相対時間およびエネルギーが、モバイル加入者ステーションのバッテリ資源の実質的な消費を構成する。しかし、誤りが起こる可能性があるため、ＦＥＣビットがＣＤＰＤシステムの動作に必要であると常に考えられてきた。しかし、ＦＥＣビットを復号化する必要をなくすことができれば、かなりの時間およびエネルギーが節約され、無線加入者ステーションのバッテリ寿命が延びるであろう。
【００７８】
本発明の別の実施形態では、メッセージブロック６２（基準ブロック６１の直後）の開始の固有のＴＥＩとグループ６２の他のＴＥＩメッセージブロックとの間の有意なハミング距離を得ることにより、ＦＥＣブロックを復号化する必要をなくす。ＴＥＩメッセージ６２のグループの最終ブロックにも、固有の構成が与えられる。従って、固有のＴＥＩ値は、他のＴＥＩ値からはっきりと区別され、誤りの源が１つ解消される。
【００７９】
セグメント６２（図６）の開始および始めのＴＥＩブロックが固有の構成を有していても本発明が動作するようにするためには、固有のＴＥＩブロックの発生が予測可能でなければならない。これを達成する１つの方法は、上述の技法によるものである。しかし、本発明のこの実施形態が上で説明した技法を用いなくてもよくなるように、他の予測技法を用いてこの実施形態を実行することも可能である。尚、固有の開始ＴＥＩの送信時間の予測能力がなければ、加入者ステーションによるＦＥＣ復号化動作をなくすことは実際には不可能であろう。
【００８０】
上述のように、本発明のこの実施形態は、固有の始めおよび終わりのＴＥＩと、他の通常のＴＥＩメッセージとの間の有意なハミング距離を利用する。しかし、これは、通常のＴＥＩメッセージ間に必ずしも当てはまることではない。ハミング距離は、任意の２つのＴＥＩ間の異なるビット数の測定値である。ＴＥＩが３２ビットを含むため、この実施形態は、最低６ビットの差が、適切なハミング距離を構成するものとしている。これは、固有のＴＥＩメッセージが、合計３２個の位置のうち少なくとも６個の異なる位置で、いかなる通常のＴＥＩメッセージとも異なることを意味する。この結果、６ビットのハミング差の関係が確実に維持されるように、通常は、可能な数の２32の組合せのうち実質的な数のＴＥＩが拒否される。
【００８１】
しかし、この実施形態では、ＴＥＩ配列はランダムに割り当てられるため、ハミング距離が６に近い任意の２つのＴＥＩが任意の時間に同じセルサイトにある可能性は非常に低い。この動作は、ハミング距離の検査も行うランダム割り当てアルゴリズムによって制御される。固有のＴＥＩメッセージの、通常のＴＥＩメッセージからのハミング距離が不十分であれば、ＭＤ−ＩＳ（図１の１）は、この状態を検出することができ、オプションとしては、そのセルにある加入者ステーションのうちの１つのＴＥＩを再割り当てすることができる。これを、上述のランダムＴＥＩ割り当てと組み合わされた固有のＴＥＩ値からの保証ハミング距離と組み合わせると、ＴＥＩ通知メッセージのＦＥＣブロックを復号化する必要がなくなる。
【００８２】
加入者ステーションがＦＥＣブロックを復号化しなくなると、十分なハミング距離が維持される可能性は高いが、誤りが検出されなくなる可能性があるという問題点が生じる。ＦＥＣブロックを復号化せずに誤りを判断する１つの技法は、調べるべきメッセージを受信する前に加入者ステーションに既に分かっているビットを用いてベースエラーレート（ＢＥＲ）を測定する技法である。これらのビットの約８分の１はＴＥＩオーバーヘッドメッセージで加入者ステーションに送信されるため、これらの約８分の１のビットは既に分かっている。
【００８３】
既知のビットを受信したビットと比較することにより、その根底にあるＢＥＲを得ることが可能となる。加入者ステーションは、ＢＥＲが高いと判断すると、ＢＥＲを所定の閾値と比較して、ＦＥＣを復号化するための時間およびエネルギーが必要であるかどうかを判断することができる。加入者ステーションがＦＥＣを復号化する決定を下すと、メッセージを復号化することができる限り、確実に誤りが走査プロセスを妨害しないようにされる。上でＴＥＩメッセージの始まりを予測する技法について説明したように、連続するエポックまたはセグメント（図６の６０）の固有のＴＥＩ間の距離が既に分かっているため、ＢＥＲの検査プロセスが促進される。
【００８４】
ＢＥＲが許容可能なレベルであるとき、復号化されていないブロックで走査が行われるため、加入者ステーションは、ＴＥＩメッセージの境界がどこであるのかを正確に知っていなければならない。従って、ＨＤＬＣゼロ挿入機能を保留することが非常に重要である。なぜなら、この動作が行われると、ＴＥＩメッセージの予測境界部分が移動するからである。さらに、ＨＤＬＣゼロ挿入機能を用いると、すべてのＴＥＩが同じバイト数からなっていなければならないという必要性が少なくなる。ＨＤＬＣフレームに対する要件は、文献などで十分に説明されており、ＣＤＰＤ仕様Version1.1のPart402でさらに詳細に説明されている。
【００８５】
ＨＤＬＣフレームに対する要件の一局面は、「ゼロスタッフ（zero stuffing）」技術である。ゼロスタッフとは、「１」が５個連続した後に「０」を挿入することである。通常、これは、データを、「０１１１１１１０」というフレーム区切り符号シーケンスと区別するために用いられる。通常、受信側のステーションまたは加入者ステーションは、詰め込まれたゼロを取り除く。しかし、本発明のこの実施形態では、詰め込まれたゼロは、ＦＥＣブロックを復号化せずに走査が行われる前に信頼性高く検出または除去されない。従って、この問題点を防ぐために、ＨＤＬＣフレーミングのためのゼロスタッフ技術は本発明では用いてはならない。
【００８６】
チャネル誤りが起こると、加入者ステーションは、通常のＴＥＩを、固有の始まりまたは終わりのＴＥＩと間違う可能性がある。このシステムでは、誤りが６つあればこの間違いが起こる。これは可能性の低い事象ではあるが、もし起これば、この間違いはその次の通知間隔またはエポックで修正される。その次の通知間隔で誤りが繰り返される可能性は幾分かはあるが、非常に低い。
【００８７】
加入者ステーションが別の加入者ステーションのＴＥＩをそれ自身のＴＥＩと間違う可能性も幾分かある。これは、誤りを走査することにより起こり、さらに、最小ハミング距離が、上述のランダム割り当てアルゴリズムを用いて完全には保証されない場合もあるために起こる。これは、深刻な問題ではない。しかし、システムオペレータがこの事象が起こる可能性を少なくしたいと考えるのであれば、別の動作を用いることができる。この動作を用いて、ＭＤ−ＩＳ（図１の３）は、２個以上のＴＥＩが６以下のハミング距離を有し且つ同じサービスエリアにあるときを検出することができる。ＭＤ−ＩＳは、これを検出すると、ＴＥＩのうちの少なくとも１つを再割り当てして、よりよいハミング距離を達成する。
【００８８】
固有の終了ＴＥＩを見逃すという問題は、あまり深刻な問題ではない。なぜなら、加入者ステーションには、ＴＥＩメッセージセグメント６２（図６）の最大長がすでに分かっているからである。既知のタイミングに基づいて固有の終了ＴＥＩが見つからなければ、加入者ステーションは単に探索を中止して、その次のセグメントまたはエポックを開始する基準ブロック６１’についての送信時間を予測する計時動作を続ける。この計時動作から、（ブロックグループ６２’中の）その次の固有のＴＥＩメッセージの発生を予測することができる。
【００８９】
本発明を実行するためには、ＭＤＢＳ（図１の１）は、ＭＤ−ＩＳ（図１の３）から送られたＴＥＩ通知メッセージを格納することができなければならない。エポックまたはセグメント６０（図６）が終了すると、ＭＤＢＳは、図６のセグメント６３に示されるような最新のＴＥＩメッセージを送出しなければならない。これを行うために、ＭＤＢＳは、特別なバッファを用いて受信ＴＥＩメッセージを保持する。さらに、上で説明したように、ＭＤＢＳは、加入者ステーションが送信を予測した正確な時間にＴＥＩメッセージを挿入するために、通信メッセージの通常動作を保留する能力を有する。
【００９０】
この実施形態は、通常のＣＤＰＤ動作に関して他の制約を有する。なぜなら、任意の通知間隔（図６の６２）でアウェイク状態に入る可能性のある加入者ステーションの数が、１つの１３６バイトＨＤＬＣフレームで挙げることができる数よりも多いからであり、ＴＥＩリストは、その後に続くＨＤＬＣフレームで続けなければならない。固有の開始ＴＥＩは、最初のＨＤＬＣフレームの始まりのみで起こらなければならない。この固有の終了ＴＥＩは、最後のＨＤＬＣフレームの終わりまで起こってはならない。加入者ステーションが固有の終了ＴＥＩメッセージを認識しない可能性があるため、加入者ステーションは、１つの通知についてＨＤＬＣフレームの上限を知っていなければならない。このことから、加入者ステーションは、調べる必要のある最後のブロックがどれであるかを判断することができる。通知期間の各最大長ＨＤＬＣフレームは、ちょうど４つのブロックを占めていなければならない。通知期間の最後のＨＤＬＣフレームだけがこの最大長よりも短くなり得る。本発明の実施形態の動作に必要な条件を維持するためには、ＭＤＢＳはこれらの標準に従わなければならない。
【００９１】
以上、本発明の多くの構成を説明してきたが、これは例示的なものであって、本発明はこれらの構成に限定されるわけではない。例えば、本発明は、上で説明したもの以外の制御メッセージ送信予測構成を用いるように適合することも可能である。従って、本発明は、添付の請求の範囲の範囲内にある構成、変形、変更、組合せ、または等価な構成のいずれかまたはすべてを含むものと考えられるべきである。
【図面の簡単な説明】
【００９２】
【図１】図１は、従来のＣＤＰＤシステムのブロック図である。
【図２】図２は、ＣＤＰＤシステムを従来のＡＭＰＳシステムに相関させたブロック図である。
【図３】図３は、携帯用無線電話ハンドセットのブロック図である。
【図４】図４は、ＭＤＢＳアーキテクチャのブロック図である。
【図５】図５は、無線加入者ステーションと関連ＭＤＩＳとのパラレル動作を示すフローチャートである。
【図６】図６は、メッセージブロックの構成を含む、制御メッセージ送信時間を予測する方法で用いられるメッセージブロック配列を示す図である。
【図７】図７は、図６のデータ配列を用いるシステムの動作シーケンスを示すフローチャートである。
【図８】図８は、ＦＥＣブロックの配列を示す図である。
【図１】
2006157956.tif 000003
【図２】
2006157956.tif 000004
【図３】
2006157956.tif 000005
【図４】
2006157956.tif 000006
【図５】
2006157956.tif 000007
【図６】
2006157956.tif 000008
【図７】
2006157956.tif 000009
【図８】
2006157956.tif 000010